(57)【要約】【課題】  二つ折りにされたシート本体の密着面への異物混入を簡単かつ完全に防止できる鑑識補助シートを提供することである。【解決手段】  チューブを扁平にしたときの最大幅の両端に折り目６，７を入れ、その一方の折り目６を折返し部としたシート本体５を備え、シート本体５は、上記折返し部６を境にして区画された上側シート５ａと下側シート５ｂとが密着してなり、上記密着状態のシート本体５は、上記折返し部６とは反対側の折り目７側がカットされた解放端７ａ，９ａと、この解放端側において上側シート５ａより下側シート５ｂが露出した露出部５ｃとを備え、上記露出部５ｃには、上記解放端に沿って連続する長さ目盛８が印刷されている。【選択図】  図１
2018176621.tif 000002
【特許請求の範囲】
【請求項１】
チューブを扁平にしたときの最大幅の両端に折り目を入れ、その一方の折り目を折返し部としたシート本体を備え、
上記シート本体は、上記折返し部を境にして区画された上側シートと下側シートとが密着してなり、
上記密着状態のシート本体は、
上記折返し部とは反対側の折り目側がカットされた解放端と、
この解放端側において上記上側シートより上記下側シートが露出した露出部と、
を備え、
上記露出部には、上記解放端に沿って連続する長さ目盛が印刷された鑑識補助シート。
【請求項２】
上記シート本体は、少なくとも上記長さ目盛の長手方向に直交する方向に、引き裂き容易性を備えた多層樹脂シートからなる請求項１に記載の鑑識補助シート。
【請求項３】
上記シート本体において、少なくとも上記チューブの内周面は低反射面である請求項１又は２に記載の鑑識補助シート。
【発明の詳細な説明】
【技術分野】
【０００１】
この発明は、犯罪捜査の証拠品などの鑑識対象物を載せるための犯罪捜査用の鑑識補助シートに関する。
【背景技術】
【０００２】
現在の犯罪捜査では、ＤＮＡ鑑定などの科学捜査が行なわれることが多くなっている。ＤＮＡ鑑定では、鑑識対象物に異物が混入することは許されない。
そのため、鑑識対象物を載せる鑑識補助シートにおいても、コンタミネーションの防止に配慮している。
例えば、特許文献１の鑑識補助シートは、図５，６のように構成されている。
１枚の樹脂製シート本体１を、その幅方向の中央からずれた位置の折り線２によって二つ折りにして、上側シート１ａと下側シート１ｂを区画している。そして、折り線２に直交する方向の上側シート１ａの幅寸法に対して、折り線２に直交する方向の下側シート１ｂの幅寸法を大きくしている。したがって、上，下側シート１ａ，１ｂを折り線２から折り返し、それら上，下側シート１ａ，１ｂを密着させると、図６に示すように、下側シート１ｂの縁の部分が露出するが、この部分を露出部１ｃとしている。
【０００３】
そして、上側シート１ａと下側シート１ｂとを密着させた状態で、上記露出部１ｃには、その長手方向に連続する長さ目盛３を印刷するようにしている。
上記のように上，下側シート１ａ，１ｂを互いに密着させた状態を保って、露出部１ｃに長さ目盛３を連続的に印刷しているので、印刷時には上，下側シート１ａ，１ｂの密着面が露出しない。したがって、印刷時に発生する異物等が、上，下側シート１ａ，１ｂの密着面に付着したりしない。
【０００４】
このように、上側シート１ａと下側シート１ｂとを密着させた状態で長さ目盛３を印刷したシート本体１を、上記密着状態のままロール状に巻いて保管するようにしている。
また、上記シート本体１には、その長手方向に所定の間隔を保ったミシン目４を形成している。このミシン目４は、上記折り線２に対して直交する方向においてシート本体１を横断させている。このミシン目４によって、上側シート１ａと下側シート１ｂとを密着させた状態で、簡単にカットすることができる。
そのため、上，下側シート１ａ，１ｂを密着させた状態でロール状に巻いて保管したシート本体１を、使用時にロールから引き出して上記ミシン目４でカットして用いることができる。
【先行技術文献】
【特許文献】
【０００５】
【特許文献１】特開２０１４−１４４５７３号公報
【発明の概要】
【発明が解決しようとする課題】
【０００６】
上記のように、従来の鑑識補助シートは、シート本体１を二つ折りにして、上，下側シート１ａ，１ｂを密着状態で保管し、ミシン目４で使用時に展開するようにすることで、密着面への異物の付着を防止するようにしている。そのため、保管時にも、カット時にも、上，下側シート１ａ，１ｂの密着状態が保たれ、上記密着面に外部から異物が入り込むことを防止できる。
しかし、上記従来の鑑識補助シートは、その製造において、展開状態のシート本体１を二つ折りにする工程を備えていた。そして、展開状態にされたシート本体１には、異物が付着する可能性があり、その結果、二つ折りにしたときの密着面に異物が混入する可能性がある。
【０００７】
このような異物混入を防止するためには、製造工程のクリーン度を上げることが考えられるが、それでは製造コストが嵩んでしまう。
そして、上記密着面への異物混入があれば、その上に載せた鑑識対象物に異物が付着する可能性があり、ＤＮＡ鑑定などの科学捜査には利用できない。
この発明の目的は、二つ折りにされたシート本体の密着面への異物混入を簡単かつ完全に防止できる鑑識補助シートを提供することである。
【課題を解決するための手段】
【０００８】
第１の発明は、チューブを扁平にしたときの最大幅の両端に折り目を入れ、その一方の折り目を折返し部としたシート本体を備え、上記シート本体は、上記折返し部を境にして区画された上側シートと下側シートとが密着してなり、上記密着状態のシート本体は、上記折返し部とは反対側の折り目側がカットされた解放端と、この解放端側において上記上側シートより上記下側シートが露出した露出部とを備え、上記露出部には、上記解放端に沿って連続する長さ目盛が印刷されたことを特徴とする。
【０００９】
第２の発明は、上記シート本体が、少なくとも上記長さ目盛の長手方向に直交する方向に、引き裂き容易性を備えた多層樹脂シートからなることを特徴とする。
【００１０】
第３の発明は、上記シート本体において、少なくとも上記チューブの内周面は低反射面であることを特徴とする。
なお、上記低反射面とは、光の反射率が低い面ということである。そして、この低反射率とは、この発明の鑑識補助シートに載せた鑑識対象物を写真撮影する際に、鑑識補助シート面の反射光が強すぎて鑑識対象物が暗く映ってしまうなど、鮮明な写真撮影の邪魔にならない反射率である。
【発明の効果】
【００１１】
第１の発明によれば、シート本体がチューブから形成され、製造過程で、上側シートと下側シートとの密着面が展開されて露出することがない。そのため、印刷などの工程で上記密着面に異物が混入することを防止できる。
このように、シート本体をチューブから形成するだけで、異物の混入を完全に防止できるので、特に製造コストが嵩むことなく、ＤＮＡ鑑定の資料採取にも使用できる鑑識補助シートを実現できた。
【００１２】
第２の発明によれば、シート本体を、鋏などの道具を使わなくても、好きな位置を手で簡単に引裂くことができる。
従来のように、ミシン目でカットするようにしていた場合には、カット位置がミシン目の位置に限定されるので、必要長さよりも長めにカットすることが多くなっていた。この発明によれば、好きな長さだけカットして使用できるので、シート本体を無駄にすることもなくなる。
また、ミシン目を形成する製造工程が不要になり、ミシン目の形成時に発生するシート屑も出なくなる。したがって、ミシン目を形成するときの異物混入の可能性もなく、よりクリーンな密着面を保つことができる。
【００１３】
第３の発明によれば、展開したシート本体に載せた鑑識対象物を写真撮影したときに、シート本体の光の反射が少ないので、対象物を鮮明に撮影することができる。
シート本体の反射率が高いと、シート本体に対して鑑識対象物が暗く映ってしまう。
特に、フラッシュ撮影をしたときには、シート本体だけが明るくなり、鑑識対象物の凹凸や、輪郭が不鮮明な写真になってしまう。だからと言って、フラッシュを用いないで、鮮明な写真を撮るのは難しい場合が多い。
鑑識対象物が不鮮明に映ったものでは、証拠写真としての意味がないが、この発明によればそのようなことはなく、鑑識対象物の形状や大きさがはっきりと分かる写真を簡単に撮影することができる。
【図面の簡単な説明】
【００１４】
【図１】第１実施形態のシート本体を構成する前のチューブの斜視図である。
【図２】実施形態のシート本体を展開する前の状態の平面図である。
【図３】実施形態のシート本体を展開した状態の平面図である。
【図４】第２実施形態のチューブの斜視図である。
【図５】従来のシート本体を展開した状態の平面図である。
【図６】従来のシート本体を二つ折りにした状態の斜視図である。
【発明を実施するための形態】
【００１５】
図１〜３にこの発明の第１実施形態の鑑識補助シートを示す。
この第１実施形態の鑑識補助シートは、それを構成するシート本体５が、後で説明するように、樹脂製チューブから形成された点を最大の特徴とする。
そして、上記シート本体５は、折り目６を境に区画された上側シート５ａと、下側シート５ｂとが密着した状態で、ロール状に巻いて保管される。
また、上記下側シート５ｂの幅Ｗ１を上側シート５ａの幅Ｗ２よりも幅Ｗ３だけ長くし、上側シート５ａから、下側シート５ｂの一部が幅Ｗ３の露出部５ｃとして露出している。この露出部５ｃには、縁７ａに沿って連続する長さ目盛８が印刷されている。
なお、図１中の符号９ａは、上側シート５ａの縁である。
【００１６】
このような鑑識補助シートの使用方法は、図５，６に示した従来の鑑識補助シートと同様である。
ただし、この第１実施形態のシート本体５は、上記したようにチューブから形成される。
図２はチューブが扁平に押しつぶされた状態を示した斜視図で、幅方向両端に折り目６，７を入れている。この一対の折り目６，７を境にして、チューブは上側シート５ａと下側シート５ｂに区画され、一方の折り目６が、この発明の折返し部となる。
【００１７】
なお、上記チューブは、リングダイスを用いたインフレーション法などで形成され、製膜直後にピンチロール等で押しつぶされて、図２で示すように、上記チューブの内周面である、上側シート５ａと下側シート５ｂのそれぞれの一方の面が密着状態となる。
また、この第１実施形態で用いるシート本体５は、押し出し方向である矢印Ａ方向及びそれに直交する矢印Ｂ方向の引き裂き容易性を備えた多層フィルムである。このようなフィルムとしては、例えば日本ポリエチレン株式会社製のキレポリ（登録商標）がある。
さらに、上記チューブの内周面を、光の反射率の低い低反射面となる樹脂層で構成している。
【００１８】
そして、図２に示す内周面が密着した状態のチューブにおいて、他方の折り目７をカットして、上側シート５ａと下側シート５ｂとの幅方向一端を切り離すとともに、この折り目７から幅Ｗ３の所に位置する一点鎖線で示したカット線９に沿って上側シート５ａのみをカットする。そして、上記幅Ｗ３の上側シート５ａの切れ端を取り除けば、露出部５ｃが現れる。
【００１９】
なお、上記折り目７とカット線９のカットはどちらが先でも構わないが、これらのカットが、この発明の折返し部とは反対側の折り目側のカットであり、このカット作業は、上側シート５ａと下側シート５ｂとの密着状態を保ったまま行なわれる。そして、図２におけるカット線９は、カットすべき位置を表わしただけで、特に、ミシン目やスリットなどが形成されているわけではない。
また、上記折り目７の位置が、カット後に図１に示す下側シート５ｂの縁７ａとなり、カット線９の位置がカット後に上側シート５ａの縁９ａとなる。そして、これら縁７ａ，９ａがこの発明の解放端を構成する。
さらに、上側シート５ａと下側シート５ｂとの上記密着状態を保ったまま、露出部５ｃに長さ目盛８を印刷して、第１実施形態の鑑識補助シートが完成する。
【００２０】
この第１実施形態では、その製造工程において、上記シート本体５の上側シート５ａと下側シート５ｂとが展開されることがなく、密着状態が保たれている。したがって、製造工程において、上記密着面に異物が付着することがなく、図３に示すようにシート本体５を展開したときに、露出部５ｃ以外の部分には異物が付着していない。
そのため、この展開されたシート本体５の上に載せたり、シート本体５で包まれたりした鑑識対象物への異物混入がなく、正確な鑑識ができる。
さらに、この第１実施形態では、シート本体５が、長さ目盛８の長手方向に直交する矢印Ｂ方向に引き裂き易い多層樹脂シートで構成されているため、ロールから引き出したシート本体５を任意の長さに手でカットすることができる。
【００２１】
シート本体５は手で簡単にカットできるので、ロールから引き出してカットする際に、鋏やカッターなどの道具を必要としない。
また、従来のように、ミシン目などが予め設けられていた場合には、カット位置がミシン目の位置に限定されてしまうが、この第１実施形態では、カット位置が限定されない。そのため、必要長さだけカットして使用することができ、シート本体５を必要以上に引き出して無駄にしてしまうこともない。
【００２２】
さらに、ミシン目を形成する工程では、ミシン目に対応した屑が出てしまうので、それが密着面に侵入してしまわないように、注意が必要である。しかし、この第１実施形態のように、ミシン目を形成する工程が無ければ、上記屑の発生もなく、それが密着面に付着する可能性もない。つまり、より簡単かつ完璧に、異物の混入を防止できる。
この鑑識補助シートの使用時には、図３に示すように、シート本体５を展開する。このとき、上側シート５ａと下側シート５ｂにおいて、上記露出部５ｃを除いた範囲は、異物の混入が防止された上記密着面なので、その上に載せた鑑識対象物に異物が付着することがない。
【００２３】
さらにまた、シート本体５の密着面側を低反射面としている。この密着面は、上記チューブの内周面であり、図３に示すようにシート本体５を展開したとき、長さ目盛８が印刷された側の面となる。したがって、鑑識対象物は、低反射面に載せられることになる。
そのため、シート本体５に載せた鑑識対象物を写真撮影する際に、シート本体５が光り過ぎることがない。特に、フラッシュ撮影の際に、シート本体５の反射光が強いと、鑑識対象物が暗くなってしまい、その表面形状や、輪郭が不鮮明に映ってしまう。しかし、この第１実施形態では、鑑識対象物がシート本体５の低反射面に載せられるので、鑑識対象物を鮮明に撮影することができる。そのため、撮影された写真から鑑識対象物の形状や大きさがはっきり認識できる。
【００２４】
図４に示す第２実施形態は、シート本体５を形成するチューブのカット位置が異なるが、それ以外の構成は第１実施形態と同じである。第１実施形態と同様の構成要素には、図１，２と同じ符号を用いている。
そして、図４は、幅方向の両端に折り目６，７を入れた樹脂製のチューブの斜視図である。
【００２５】
この第２実施形態では、折り目７から幅Ｗ４の位置のカット線９に沿って、上側シート５ａのみをカットして上記折り目７を広げる。折り目７を広げると、上側シート５ａにおける上記カット線９と折り目７との間の部分は、二点鎖線で示したように幅Ｗ１より外側に広がって露出部５ｃとなり、下側シート５ｂの一部となる。そして、この露出部５ｃは、カット線９に対応する縁９ｂを備え、幅Ｗ４の２倍の幅の帯状部分となる。
なお、上記カット線９でカットされた上側シート５ａの縁９ａと上記縁９ｂとが、この発明の解放端である。
【００２６】
このようにして露出部５ｃが形成されたら、この露出部５ｃには図示しない長さ目盛が印刷される。この長さ目盛は第１実施形態の長さ目盛８と同じものである。
この間、折り目６を境に区画された上側シート５ａと下側シート５ｂとは、密着状態を保ち、密着面に異物が侵入することはない。
したがって、この第２実施形態でも、シート本体５を展開して鑑識対象物を載せたり包んだりしても、鑑識対象物に異物が付着することがなく、正確な鑑識ができる。
しかも、従来のようなミシン目を形成する工程もないので、ミシン目の形成時に発生するシート屑が付着する可能性もない。
【００２７】
また、第１実施形態と同様に、シート本体５が、長さ目盛の長手方向である矢印Ａ方向及びそれに直交する矢印Ｂ方向に引き裂き易くなっているので、鋏などを使用せずに任意の長さで、矢印Ｂ方向にカットすることができる。
さらに、この第２実施形態でも、長さ目盛が印刷された側の面を低反射面としているので、その上に載せた鑑識対象物を鮮明に写真撮影することができる。
また、この第２実施形態では、チューブを上記カット線９でカットするだけで、第１実施形態のように折り目７でのカットがない。そのため、折り目７を広げて露出部５ｃを露出させる必要がある。
一方で、第１実施形態のように、シートの切れ端を取り除いたり廃棄したりする必要がない。
【００２８】
上記第１，２実施形態において、シート本体５は、長さ目盛８（図１〜３参照）の長手方向Ａと、それに直交する方向Ｂに引き裂き易い多層フィルムで構成されているが、シート本体５を必要長さにカットするためには、長さ目盛８に直交する方向にのみ、引き裂き易くなっていればよい。
また、シート本体５は、特に引き裂き易い多層フィルム製としなくても、鋏などでカットして使用するようにしてもよい。
シート本体５がチューブから形成され、その製造過程で、上側シート５ａと下側シート５ｂとが密着状態を維持していれば、密着面への異物の付着が防止でき、鑑識対象物への異物付着を防止するという目的は達成できる。
【００２９】
したがって、鑑識対象物に異物が付着しないようにするためには、チューブの内周面、すなわち上側シート５ａと下側シート５ｂとの密着面側の面が、低反射面であることも必須ではない。
ただし、上記密着面が低反射面であれば、上記したように鮮明な写真撮影が容易になり、撮影された写真の証拠品としての価値も上がる。
そして、シート本体５の両面が低反射面でもよい。
【産業上の利用可能性】
【００３０】
この発明は、ＤＮＡ鑑定の際の鑑定対象物を載せるのに最適である。
【符号の説明】
【００３１】
５    シート本体
５ａ    上側シート
５ｂ    下側シート
５ｃ    露出部
６    （一方の）折り目
７    （他方の）折り目
７ａ    （解放端）縁
８    長さ目盛
９    カット線
９ａ，９ｂ    （解放端）縁
【図１】
2018176621.tif 000003
【図２】
2018176621.tif 000004
【図３】
2018176621.tif 000005
【図４】
2018176621.tif 000006
【図５】
2018176621.tif 000007
【図６】
2018176621.tif 000008